(57)【要約】【課題】  音量の設定操作が容易であり、音量の設定段数を容易に設定することができる遊技機を提供する。【解決手段】  制御回路２１は、音制御信号を音駆動回路２５に出力する。また、制御回路２１は、ボリューム２４から出力される、操作部の操作位置に応じた設定信号と複数の基準値を比較し、比較結果に応じた判定信号を音駆動回路２５に出力する。音駆動回路２５は、音制御信号に対応し、判定信号に応じたレベルを有する音駆動信号を出力する。また、制御回路２１は、基準値調整条件が成立すると、ボリューム２４から出力されている設定信号に基づいて基準値を調整する。【選択図】    図１
2010214157.tif 000002
【特許請求の範囲】
【請求項１】
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
第１位置と第２位置の間の任意の位置に操作可能な操作部を有し、前記操作部の操作位置に応じて連続して変化する音設定信号を出力する音設定信号出力手段と、
前記音設定信号出力手段から出力される音設定信号と基準値とを比較し、比較結果に応じた音量レベルを示す音量設定信号を出力する音量レベル判定手段と、
前記音設定信号出力手段の操作部が前記第１位置と前記第２位置の間の報知位置に操作されたことを報知する報知手段を備え、
前記音駆動手段は、前記音量レベル判定手段から出力される音量設定信号に応じたレベルの音駆動信号を出力し、
前記報知位置は、前記操作部が当該報知位置に操作された時に前記音設定信号出力手段から出力される音設定信号が、隣接する基準値の間の値となるように設定されている、
ことを特徴とする遊技機。
【発明の詳細な説明】
【技術分野】
【０００１】
本発明は、遊技機、特に、音による演出を行う遊技機に関する。
【背景技術】
【０００２】
パチンコ機等の遊技機では、遊技に対する遊技者の興趣を高めるために音、光や画像により演出を行っている。例えば、待機状態にある時、抽選結果を変動表示している状態にある時、当たり抽選結果を表示している状態にある時、大当たり遊技状態にある時等に、それぞれの状態に応じた演出用の音をスピーカから発生し、演出用の光をランプから発光させ、演出用の変動表示パターンを表示装置に表示させている。
また、スピーカから発生する音の音量を調整するための音設定信号を出力する音設定信号出力手段が設けられている。
従来の遊技機では、音設定信号出力手段として、操作位置を段階的に操作可能な操作部を有し、操作部の操作位置に応じた段階的（ステップ状）に変化する音設定信号を出力する音設定信号出力手段や、操作位置を連続して操作可能な操作部を有し、操作部の操作位置に応じて連続して変化する音設定信号を出力する音設定信号出力手段が用いられている。
そして、音設定信号出力手段から出力される音設定信号に基づいて、スピーカと、スピーカに音駆動信号を出力する音声再生回路の間に設けられている減衰器の減衰量を段階的あるいは連続して調整することにより、スピーカから発生する音の音量を段階的あるいは連続的に調整している。（特許文献１参照）
【先行技術文献】
【特許文献】
【０００３】
【特許文献１】特開２００１−１７８９４１号公報
【発明の概要】
【発明が解決しようとする課題】
【０００４】
音設定信号出力手段として、操作部の操作位置に応じて段階的に変化する音設定信号を出力する音設定信号出力手段を用いる場合には、操作部の操作位置が予め設定されており、音量の設定段数も操作位置の数に対応している。このため、音量の設定段数に対応した操作位置を有する音設定信号出力手段を用いる必要がある。
一方、音設定信号出力手段として、操作部の操作位置に応じて連続して変化する音設定信号を出力する音設定信号出力手段を用いる場合には、音量を連続して調整することができる。
しかしながら、音量を連続的に調整可能である場合、操作部の操作位置を適切な位置に設定する（例えば、各遊技機のスピーカから同じ音量の音が発生するように設定する）のが困難である。
本発明は、このような点に鑑みて創案されたものであり、本発明が解決しようとする課題は、遊技機に設けられている音発生手段から発生する音の音量の設定操作が容易であり、また、音量レベルの段数を容易に設定することができる遊技機を提供することである。
【課題を解決するための手段】
【０００５】
前記課題を解決するために、本発明の第１発明は、請求項１に記載された構成を備える遊技機である。
本発明は、音発生手段と、遊技状態に応じた音制御信号を出力する制御手段と、音制御信号に基づいて音駆動信号を出力する音駆動手段と、音設定信号を出力する音設定信号出力手段と、音量レベル判定手段と、報知手段を備えている。
音設定信号出力手段は、第１位置と第２位置の間の任意の位置に操作可能な操作部の操作位置に応じて連続して変化する音設定信号を出力し、音量レベル判定手段は、音設定信号出力手段から出力される音設定信号と基準値との比較結果に対応した音量レベルを示す音量設定信号を出力し、音駆動手段は、音量レベル判定手段から出力される音量設定信号に対応するレベルの音駆動信号を出力する。
そして、報知手段は、音設定信号出力手段の操作部が、第１位置と第２位置の間であって、音設定信号出力手段から出力される音設定信号が、隣接する基準値の間の値となる位置に設定されている報知位置に操作されたことを報知する。
ここで、遊技状態（例えば、待機状態、抽選結果変動表示状態、当たり抽選結果表示状態、大当たり遊技状態）に応じた音制御信号を出力する制御手段としては、例えば、遊技状態を示す入力信号に基づいて主制御回路（主制御手段）から出力される主コマンド信号を入力する副制御回路（副制御手段）あるいは音制御回路（音制御手段）が用いられる。
音設定信号出力手段としては、操作部の操作位置に応じて連続して変化する量を有する設定信号を出力するものであればよい。典型的には、操作部の操作位置に応じて抵抗値が連続的に変化する可変抵抗器を有し、可変抵抗器の抵抗値に応じて連続して変化する電圧値を有する電圧を出力する音設定信号出力手段が用いられる。
音駆動手段としては、例えば、音制御信号に対応する音駆動信号が記憶されている記憶手段を有する音源ＩＣが用いられる。
報知手段の報知態様としては、周囲が暗くても、操作部が第１位置と第２位置の間の報知位置に操作されたことを認識可能な報知態様、例えば、光、音、操作部の回転トルクの変化等によって報知する報知態様を用いるのが好ましい。操作部の回転トルクの変化によって報知する報知手段としては、操作部にクリック感（節度感ともいう）を付与するクリック付与手段（節度付与手段を含む）を用いることができる。
音量レベル判定手段の処理は、制御手段が行ってもよい。
「隣接する基準値の間の値」は、製造誤差や取付誤差等によって、同じ操作位置における音設定信号のレベルが変化しても、当該操作位置における音設定信号と基準値との比較結果に基づいて決定される音駆動信号のレベルが変化しない範囲の値を意味する。
【発明の効果】
【０００６】
請求項１に記載の遊技機を用いれば、設定信号出力手段から出力される設定信号のレベルが、所望の音量レベルに対応する基準値の間の値となるように操作部を操作すればよいため、操作部の操作が容易である。
特に、請求項１に記載の遊技機では、第１位置と第２位置の間の任意の位置に操作可能な操作部が、第１位置と第２位置の間の報知位置に操作されたことが報知手段によって報知されるため、操作部の操作者は、第１位置、第２位置及び報知位置に操作されたことを認識することができる。これにより、操作者は、第１位置に対応する音量、第２位置に対応する音量、報知位置に対応する音量、さらには、第1位値に対応する音量と報知位置に対応する音量や報知位置に対応する音量と第２位置に対応する音量の間の音量に調整するための操作部の操作位置を容易に認識することができるため、操作部を所望の操作位置に容易に、短時間で操作することができる。
また、基準値を変更するのみで、音量レベルの段数の設定、さらには、音量レベルに対応する操作部の操作範囲の設定を容易に行うことができる。
【図面の簡単な説明】
【０００７】
【図１】本発明の第１の実施の形態の概略構成図である。
【図２】ボリュームの平面図である。
【図３】ボリュームの側面図である。
【図４】第１の実施の形態におけるボリュームの操作部の操作位置とボリュームレベルの関係を示す図である。
【図５】第１の実施の形態におけるボリュームの操作部の操作位置とボリュームレベルとの関係を示す図である。
【図６】第１の実施の形態における基準値調整動作及びボリュームレベル判定動作を示すフローチャート図である。
【図７】第２の実施の形態におけるボリュームの操作部の操作位置とボリュームレベルの関係を示す図である。
【図８】第２の実施の形態におけるボリュームの操作部の操作位置とボリュームレベルとの関係を示す図である。
【図９】第３の実施の形態における基準値調整動作及びボリュームレベル判定動作を示すフローチャート図である。
【発明を実施するための形態】
【０００８】
以下に、本発明の実施の形態を、図面を参照して説明する。
本発明の第１の実施の形態の概略構成図を図１に示す。本実施の形態は、本発明をパチンコ機として構成したものである。
本実施の形態は、主制御基板１０、副制御基板２０、表示制御基板５０、演出用表示装置（演出表示手段）５１、スピーカ（音発生手段）３０、ランプ（発光手段）４０、抽選結果表示装置（抽選結果表示手段）６０等を備えている。抽選結果表示装置６０としては、例えば、ＬＥＤにより構成され、ＬＥＤの点灯状態によって抽選結果を表示する表示装置が用いられる。また、演出表示装置としては、例えば、７セグ表示装置や液晶表示装置が用いられ、抽選結果に応じて、演出用図柄等を用いた変動パターンを表示する。
なお、図示は省略しているが、パチンコ機には、これ以外に、入賞口への遊技球の入賞に対して賞球を払い出す賞球装置、賞球装置を制御する賞球制御回路が配設されている賞球制御基板、大入賞口を開閉する大入賞口開閉部材を駆動する大入賞口駆動回路（大入賞口駆動手段）等が設けられている。
【０００９】
主制御基板１０には、主制御回路１１、ＲＯＭ１２、ＲＡＭ１３等が配設されている。ＲＯＭ１２には、主制御回路１０の制御プログラム、抽選用の乱数を発生させる乱数発生プログラム（当たり判定用乱数発生プログラム、変動時間判定用乱数発生プログラム等）が記憶されている。ＲＡＭ１３には、主制御回路１０の作業情報が書き込まれる。主制御回路１１は、通常、ＲＯＭ１２やＲＡＭ１３とともに樹脂によってモールドされ、パッケージ化された集積回路（「ワンチップマイコン」という）として形成される（図１に点線で図示）。
主制御回路１１は、抽選手段（図示省略）を有している。
また、主制御回路１１には、種々の入力信号が入力される。例えば、遊技球が始動入賞口に入賞したことを検出する始動入賞球検出器から出力される始動入賞球検出信号、遊技球が入賞口に入賞したことを検出する入賞球検出器から出力される入賞球検出信号等が入力信号として入力される。
主制御回路１１は、入力信号とＲＯＭ１２に記憶されている制御プログラム等に基づいて、すなわち、遊技状態に応じて制御信号や主コマンド信号を出力する。
例えば、始動入賞球検出信号が入力されると、当たり判定用乱数を読み取り、読み取った当たり判定用乱数が当たり値と一致するか否かを判定する（抽選手段により抽選を行う）。また、変動時間判定用乱数を読み取る。そして、主制御回路１１から抽選結果表示装置６０に制御信号を出力し、抽選結果表示装置６０の表示を制御する。例えば、当たり判定用乱数が当たり値と一致する場合（抽選結果が当たりである場合）には、変動時間判定用乱数に対応する変動時間変動表示させた後、当たり結果を表示させる。一方、当たり判定用乱数が当たり値と一致しない場合（抽選結果がはずれである場合）には、変動時間判定用乱数に対応する変動時間変動表示させた後、はずれ結果を表示させる。  さらに、抽選結果と変動表示時間（当たり判定用乱数と変動時間判定用乱数）を示す主コマンド信号を副制御回路２１に出力する。すなわち、図柄変動表示状態に対応する主コマンド信号を出力する。
また、当たり判定用乱数が当たり値と一致した場合（抽選結果が当たりである場合）には、変動表示時間経過後、大入賞口開閉部材を開制御する制御信号を大入賞口開閉部材駆動回路（図示省略）に出力し、遊技者に有利な大当たり遊技状態を発生させる。
さらに、大当たり遊技状態の開始を示す主コマンド信号を副制御回路２１に出力する。
すなわち、大当たり遊技状態に対応する主コマンド信号を出力する。
これら以外にも、主制御回路は遊技状態に応じて種々の制御信号や主コマンド信号を出力する。
【００１０】
副制御基板２０には、副制御回路２１、ＲＯＭ２２、ＲＡＭ２３、ボリューム（可変抵抗器）２４、音源ＩＣ（音駆動回路）２５、ＲＯＭ２６、アンプ２７、ランプ駆動回路２８等が配設されている。
本実施の形態では、ボリューム（可変抵抗器）２４として、電源［＋５Ｖ］とアース間に接続された固定抵抗と、操作部（回動部）の回動によって回動され、固定抵抗との接触位置が連続して変更される可動接点を有する回動式可変抵抗器を用いている。可動接点には、操作の操作位置（回動位置）により決定される抵抗値に対応して連続して変化する電圧値（レベル）を有する出力電圧が出力される。
ＲＯＭ２２には、副制御回路２１の制御プログラム、抽選用の乱数を発生させる乱数発生プログラム（当たり図柄判定用乱数発生プログラム、当たり図柄変動パターン判定用乱数発生プログラム、はずれ図柄判定用乱数発生プログラム、はずれ図柄変動パターン判定用乱数発生プログラム、音制御用プログラム、ランプ制御用プログラム等）が記憶されている。ＲＡＭ２３には、副制御回路２１の作業情報が書き込まれる。
【００１１】
副制御回路２１は、Ａ／Ｄ変換手段２１ａと、ボリュームレベル判定手段２１ｂと、基準値調整手段２１ｃを有している。
Ａ／Ｄ変換手段２１ａは、ボリューム信号入力端子に入力される、ボリューム２４の出力電圧の電圧値（レベル）をデジタル信号に変換し、検出値として出力する。
ボリュームレベル判定手段２１ｂは、Ａ／Ｄ変換手段２１ａから出力される検出値を基準値（基準レベル）と比較し、比較結果に基づいてボリュームレベルを判定し、判定したボリュームレベルを示すボリュームレベル判定信号を出力する。
基準値調整手段２１ｃは、基準値調整条件が成立した時（基準値調整条件が満足された時）、Ａ／Ｄ変換手段２１ａから出力されている検出値に基づいて、ボリュームレベル判定手段２１ｂで用いている基準値（基準レベル）を調整する。
ボリュームレベル判定手段２１ｂのボリュームレベル判定方法や基準値調整手段２１ｃの基準値調整方法については、後述する。
ボリュームレベル判定手段２１ｂから出力されるボリュームレベル判定信号は、副制御回路２１から音源ＩＣ２５に出力され、音量設定信号として音量設定レジスタ２５ａに格納される。
ＲＯＭ２６には、副制御回路２１から出力される音制御信号に対応する音駆動信号（例えば、音制御信号に対応する周波数を有する音駆動信号）が記憶されている。
【００１２】
副制御回路２１は、遊技状態に応じて制御信号や副コマンド信号を出力する。例えば、主制御回路１１から抽選結果と変動表示時間を示す主コマンド信号が出力されたことにより図柄変動表示状態に対応する制御信号や副コマンド信号を出力し、主制御回路１１から大当たり遊技状態の開始を示す主コマンド信号が出力されたことによって大当たり遊技状態に対応する制御信号や副コマンド信号を出力し、主制御回路１１から一定時間以上主コマンド信号が出力されないことによって待機状態に対応する制御信号や副コマンド信号を出力する。
【００１３】
副制御回路２１は、主制御回路１１から出力された主コマンド信号が、抽選結果が当たりであることを示している場合（当たり判定用乱数が当たり値と一致する場合）には、当たり図柄判定用乱数を読み取るとともに、主コマンド信号で示される変動表示時間（変動時間判定用乱数で示される変動表示時間）に対応する当たり図柄変動パターン用乱数を読み取る。一方、主コマンド信号が、抽選結果がはずれであることを示している場合（当たり判定用乱数が当たり値と一致しない場合）には、はずれ図柄判定用乱数を読み取るとともに、主コマンド信号で示される変動表示時間（変動時間判定用乱数で示される変動表示時間）に対応するはずれ図柄変動パターン用乱数を読み取る。
そして、表示図柄（当たり図柄あるいははずれ図柄）と変動パターン（当たり図柄変動パターンあるいははずれ図柄変動パターン）を示す副コマンド信号を表示制御基板５０に配設されている表示制御回路に出力する。
表示制御回路は、副制御回路２１から出力された副コマンド信号に対応する表示制御信号をＲＯＭから読み出し、読み出した表示制御信号により演出表示装置５１を制御する。すなわち、演出表示装置５１に、副コマンド信号で示される変動パターンを表示した後、副コマンド信号で示される図柄を表示する。
【００１４】
同時に、副制御回路２１は、音源ＩＣ２５やランプ駆動回路２８に音制御信号やランプ制御信号を出力する。例えば、前記した、主コマンド信号に基づいて読み出した図柄変動パターン用乱数（当たり図柄変動パターン用乱数あるいははずれ図柄変動パターン用乱数）で示される図柄変動パターン（当たり図柄変動パターンあるいははずれ図柄変動パターン）に対応する音の演出や光の演出を行うための音制御信号やランプ制御信号をＲＯＭ２２から読み出し、読み出した音制御信号やランプ制御信号を音源ＩＣ２５やランプ駆動回路２８に出力する。
音源ＩＣ２５は、副制御回路２１から出力された音制御信号に対応する音駆動信号をＲＯＭ２６から読み出す。そして、読み出した音駆動信号のレベルを、音量設定レジスタ２５ａに格納されている音量設定信号に対応するレベルに設定し、アンプ２７を介してスピーカ３０に出力する（アンプ２７を駆動する）。
また、ランプ駆動回路２８は、副制御回路２１から出力されたランプ制御信号に基づいて、ランプ駆動信号をランプ４０に出力する（ランプ４０を駆動する）。
【００１５】
副制御回路２１は、主制御回路１１から出力された主コマンド信号が大当たり遊技状態の開始を示している場合には、大当たり遊技状態に対応する変動パターンを示す副コマンド信号を表示制御基板５０に配設されている表示制御回路に出力する。
同時に、副制御回路２１は、大当たり遊技状態に対応する音の演出や光の演出を行うための音制御信号や光制御信号をＲＯＭ２２から読み出し、読み出した音制御信号やランプ制御信号を音源ＩＣ２５やランプ駆動回路２８に出力する。
また、副制御回路２１は、主制御回路１１から一定時間以上主コマンド信号が出力されない場合には、待機状態に対応する変動パターンを示す副コマンド信号を表示制御基板５０に配設されている表示制御回路に出力する。
同時に、副制御回路２１は、待機状態に対応する音の演出や光の演出を行うための音制御信号やランプ制御信号をＲＯＭ２２から読み出し、読み出した音制御信号やランプ制御信号を音源ＩＣ２５やランプ駆動回路２８に出力する。
表示制御回路は、副制御回路２１から出力される副コマンド信号で示される変動パターンを演出表示装置５１に表示する。また、音源ＩＣ２５やランプ駆動回路２８は、副制御回路２１から出力される音制御信号やランプ制御信号に基づいてスピーカ３０やランプ４０を駆動する。
なお、副制御回路２１は、適宜の時期にボリュームレベル判定手段２１ｂによってボリュームレベルを判定し、ボリュームレベルが変更された場合には、ボリュームレベル判定信号を音源ＩＣ２５に出力する。音源ＩＣ２５は、副制御回路２１から出力されるボリュームレベル判定信号を音量設定信号として音量設定レジスタ２５ａに書き込む。
また、副制御回路２１は、基準値調整条件が成立した時（満足された時）に、基準値調整手段２１ｃによって、ボリュームレベル判定手段２１ｂで用いる基準値を調整する。
副制御回路２１は、前記以外の種々の遊技状態に応じて副コマンド信号や制御信号を出力可能である。
副制御回路２１から遊技状態に応じて出力する副コマンド信号や制御信号は、遊技状態に応じて適宜変更可能である。例えば、スピーカ３０、ランプ４０、演出表示装置５１のいずれかに遊技状態に対応する演出を実行させ、他は待機状態に対応する演出を実行させるように副コマンド信号、音制御信号やランプ制御信号を出力することができる。
【００１６】
本実施の形態では、スピーカ３０が本発明の「音発生手段」に対応し、副制御回路２１が本発明の「音制御信号を出力する制御手段」に対応し、音源ＩＣ２５が本発明の「音駆動手段」に対応し、ボリューム（可変抵抗器）２４が本発明の「音設定信号出力手段」あるいは「回動式可変抵抗器」に対応し、ボリュームレベル判定手段２１ｂが本発明の「音量レベル判定手段」に対応し、基準値調整手段２１ｃが本発明の「基準値調整手段」に対応する。また、本実施の形態では、副制御回路２１が、本発明の「制御手段」、「Ａ／Ｄ変換手段」、「音量レベル判定手段」及び「基準値調整手段」の処理を実行している。
【００１７】
次に、ボリューム（可変抵抗器）２４の構成を、図２及び図３を用いて説明する。
ボリューム２４は、固定部１１１と回動部１２１を有している。
固定部１１１には、所定の電気抵抗率を有する材料により形成された抵抗体（固定抵抗）２４ａが設けられている。抵抗体２４ａは、両端が電源端子（本実施の形態では、＋５Ｖの電源端子）とアース端子に接続されている。
また、固定部１１１には、回動部１２１に設けられている摺動部材１２１ｂが摺動可能な摺動面１１２が設けられている。摺動面１１２の任意の位置（本実施の形態では、突部１２１ａの摺動範囲内のほぼ中間の位置）が段差状に形成されている。すなわち、回動部１２１の回動範囲内の報知位置に溝部１１２ｂが形成されている。この溝部１１２ａの形状（深さや段差部の傾き）は、後述する、摺動部材１２１ｂが溝部１１２ａに挿入された時の操作部のトルクの変化量や操作部の操作性等に基づいて適宜設定される。
また、固定部１１１には、回動部１２１の回動範囲を規定するためのストッパ１１３が設けられている。回動部１２１の回動がストッパ１１３によって規制される一方側の位置が本発明の「第１位置」に対応し、他方側の位置が本発明の「第２位置」に対応する。
回動部１２１は、操作者による操作部（図示省略）の回動操作に連動して回動可能に構成されている。回動部１２１は、円形形状に形成されている。また、回動部１２１の外周部には、外周方向に突出する支持部１２１ａが形成されている。そして、支持部１２１ａには、摺動面１１２上を摺動可能な摺動部材１２１ｂが設けられている。
回動部１２１には、円弧状のスリット１２２が形成されており、支持部１２１ａに設けられている摺動部材１２１ｂを摺動面１１２に当接する方向に押圧する押圧力が摺動部材１２１ｂに作用するように構成されている。
また、回動部１２１には、固定部１１１に設けられている抵抗体２４ａに対応する接触位置が、回動部１２１の操作に連動して移動する可動接点２４ｂが設けられている。この可動接点２４ｂは、ボリューム２４の出力端子を構成する。勿論、可動接点２４ｂに接続された出力端子を別に設けてもよい。
【００１８】
以上の構成により、回動部１２１（したがって、回動部１２１を回動させる操作部）は、保持部１２１ａがストッパ１１３の一方側の端部に当接する第１位置と、保持部１２１ａがストッパ１１３の他方側の端部に当接する第２位置の間で連続して回動可能である。すなわち、回動部１２１（操作部）は、第１位置と第２位置の間の任意の位置に操作可能である。ここで、回動部１２１が第１位置あるいは第２位置に操作されると、保持部１２１ａがストッパ１１３に当接するため、操作者は、回動部１２１が第１位置あるいは第２位置に操作されたことを回動部のトルク（したがって、回動部を操作する操作部のトルク）の変化によって感知（認識）することができる。
また、回動部１２１が第１位置と第２位置の間を回動することによって、保持部１２１ａに設けられている摺動部材１２１ｂが摺動面１１２に沿って摺動するとともに、抵抗体２４ａに対する可動接点２４ｂの接触位置が移動する。これにより、可動接点２４ｂから出力される出力電圧の電圧値が連続して変化する。例えば、可動接点２４ｂと抵抗体２４ａとの接触位置に応じて、可動接点２４ｂと＋５Ｖ電源端子の間の抵抗値が連続的に変化し、可動接点２４ｂの出力電圧の電圧値は、可動接点２４ｂと＋５Ｖ電源端子の間の抵抗値に応じて連続して変化する。
また、回動部１２１（したがって、回動部１２１を回動させる操作部）が第１位置と第２位置の間に設けられている溝部１１２ａに対応する位置に操作されると、摺動部材１２１ｂが溝部１１２ａ内に挿入し、回動部１２１（したがって、回動部１２１を回動させる操作部）のトルクが変化する。操作者は、この操作部のトルクの変化によって、可動接点１２１ｂが溝部１１２ａが設けられている位置に操作されたこと、すなわち、回動部１２１（操作部）が第１位置と第２位置の間の報知位置（本実施の形態では、第１位置と第２位置の間の中間位置）に操作されたことを感知（認識）することができる。
本実施の形態では、摺動部材１２１ｂと溝部１１２ａによって、操作部が報知位置に操作されたことを操作部のトルクの変化によって報知する報知機構が構成されている。
なお、支持部１２１ａがストッパ１１３の端部に当接した時の操作部のトルクの変化と、摺動部材１２１ｂが溝部１１２ａに挿入された時の操作部のトルクの変化は異なるため、操作者は、操作部が第１位置、第２位置及び報知位置に操作されたことを容易に区別することができる。
以上により、操作者は、周囲が暗くても操作部が第１位置、第２位置、報知位置に操作されたことを容易に認識することができる。
【００１９】
本実施の形態では、ボリューム２４の可動接点２４ｂの出力電圧が本発明の「音設定信号」に対応し、可動接点２４ｂの出力電圧の電圧値が本発明の「操作部の操作位置に応じて連続して変化するレベル」に対応する。
また、摺動部材１２１ｂと溝部１１２ａによって本発明の「報知手段」が構成され、溝部１１２ａが設けられている位置が本発明の「報知位置」に対応する。
なお、操作部が所定の操作位置に操作されたことを操作部のトルクの変化によって操作者に感知（認識）させる機構は、一般的に、クリック機構（節度機構）と呼ばれている。クリック機構としては、種々の構成のものが知られている。したがって、本実施の形態で用いる報知手段としては、図２及び図３に示した構成を有する報知手段に限定されず、種々の構成の報知手段を用いることができる。
【００２０】
次に、本実施の形態のボリュームレベル判定手段２１ｂによるボリュームレベル判定動作について説明する。
本実施の形態では、ボリューム２４として回動式可変抵抗器を用いている。また、ボリューム２４により、スピーカ３０から発生する音の音量を、最低音量（音量「０」ではない）を示すボリュームレベル［１］〜最高音量を示すボリュームレベル［５］の５段階で設定可能に構成されている。勿論、ボリュームレベルとしてはこれ以外の複数のレベルを設定することができる。
ボリューム２４として回動式可変抵抗器を用いていることにより、スライド式可変抵抗器を用いる場合に比べて設置スペースが小さくてすみ、また、操作量の調整も容易である。さらに、ボリューム２４の操作部（回動部１２１）が最小位置（支持部１２１ａがストッパ１１３の一方側の端部に当接する「第１位置」）に操作されている時には最低音量に、最大位置（支持部１２１ａがストッパ１１３の他方側の端部に当接する「第２位置」）に操作されている時には最高音量に設定されるため、ボリューム２４の操作部を最小位置あるいは最大位置に操作するのみで最低音量あるいは最高音量の設定を行うことができる。
【００２１】
ボリュームレベル判定手段２１ｂは、ボリューム２４の出力電圧の電圧値をＡ／Ｄ変換手段２１ａでデジタル信号に変換した検出値（ボリューム２４から出力される設定信号のレベル）と基準値（基準レベル）とを比較することによって、ボリューム２４により設定されているボリュームレベルを判定する。
本実施の形態では、図４及び図５に示すように、ボリューム２４の操作部（回動部）は最小位置Ｒ０に対応する電圧値［デジタル値０］〜最大位置Ｒ５に対応する電圧値［デジタル値２５５］の範囲内で回動可能であり、ボリュームレベルが増大する方向（図４では時計方向、図５では左から右の方向）に操作部を回動させるとボリュームレベルが［１］から［５］まで順次増大し、ボリュームレベルが減少する方向（図４では反時計方向、図５では右から左の方向）に回動させるとボリュームレベルが［５］から［１］まで順次減少する。
図４および図５では、検出値（ボリューム２４の出力電圧の電圧値）に基づいてボリュームレベル［１］〜［５］を判定するための基準値（基準レベル）として、実線で示す基準値を用いている。なお、図４及び図５に破線で示す基準値は、後述する基準値調整後の基準値である。
【００２２】
ボリュームレベル［１］から［２］あるいはボリュームレベル［２］から［１］への切り替わりを判定する基準値（ボリュームレベル［１］に対応するボリュームレベル増加判定用基準値あるいはボリュームレベル［１］より１段階増加側のボリュームレベル［２］に対応するボリュームレベル減少判定用基準値）として基準値Ｒ１［デジタル値５１］（電圧値１Ｖ）を用いている。同様に、ボリュームレベル［２］から［３］あるいはボリュームレベル［３］から［２］への切り替わりを判定する基準値として基準値Ｒ２［デジタル値１０２］（電圧値２Ｖ）、ボリュームレベル［３］から［４］あるいはボリュームレベル［４］から［３］への切り替わりを判定する基準値として基準値Ｒ３［デジタル値１５３］（電圧値３Ｖ）、ボリュームレベル［４］から［５］あるいはボリュームレベル［５］から［４］への切り替わりを判定する基準値として基準値Ｒ４［デジタル値２０４］（電圧値４Ｖ）を用いている。
以上のように、本実施の形態では、ボリューム２４の出力電圧の電圧値を各ボリュームレベルに対応するボリュームレベル増加判定用基準値あるいはボリュームレベル減少判定用基準値（隣接するボリュームレベルでは、音量が低い側のボリュームレベルに対応するボリュームレベル増加判定用基準値と、音量が高い側のボリュームレベルに対応するボリュームレベル減少判定用基準値は等しい）を比較し、比較結果に基づいてボリュームレベルを判定している。
なお、本実施の形態では、基準値Ｒ１〜Ｒ４が各ボリュームレベルに対応する基準値に対応する。
【００２３】
本実施の形態では、前述したように、操作部（回動部１２１）が最小位置（第１位置）と最大位置（第２位置）の間の報知位置に操作されたことを操作者が感知（認識）できるようにするために、操作部が報知位置に操作されたことを操作部のトルクの変化によって報知する報知機構を設けている。
また、本実施の形態では、ボリューム２４の出力電圧の電圧値と基準値（各ボリュームレベルに対応するボリュームレベル増加判定用基準値あるいはボリュームレベル減少判定用基準値）との比較結果に基づいてボリュームレベルを判定している。
ここで、ボリューム２４の出力電圧の電圧値、特に、操作部（回動部１２１）が報知位置に操作された時のボリューム２４の出力電圧の電圧値が基準値の近傍の値である時に、温度や振動等による変動成分が含まれると、比較結果に基づいて判定されるボリュームレベルが異なる可能性がある。このような場合には、操作者は、報知位置とボリュームレベルとの対応関係を正確に把握することができなくなる。
このため、操作部（回動部１２１）が報知位置に操作された時のボリューム３４の出力電圧の電圧値が、隣接する基準値の間の値になるように、報知位置（溝部１１２ａの設置位置）を設定するのが好ましい。
また、ボリューム２４の出力電圧の電圧値が変動することによるボリュームレベルの誤判定を確実に防止するには、操作部が報知位置に操作された時のボリュームの出力電圧の電圧値が、隣接する基準値の中間の値となるように報知位置を設定するのが好ましい。隣接する基準値の中間の値は、厳密に中間の値である必要はなく、隣接する基準値の中間の値の近傍の値であってもよい。
【００２４】
さらに、操作部が報知位置に操作された時のボリューム２４の出力電圧の電圧値が、第１位置に対応するボリュームレベルと第２位置に対応するボリュームレベルを含む複数のボリュームレベルの中の、中間のボリュームレベルに対応する基準値の中間の値（ボリュームレベルに対応するボリュームレベル増加判定用基準値とボリュームレベル減少判定用基準値の中間の値）となるように報知位置を設定するのが好ましい。
本実施の形態では、報知位置を、ボリューム２４の出力電圧の電圧値が、ボリュームレベル［１］〜［５］の中間のボリュームレベル［３］に対応する基準値（ボリュームレベル減少判定用基準値Ｒ２とボリュームレベル増加判定用基準値Ｒ３）の中間の値Ｃ（デジタル値１２７）となる位置に設定している。
この場合、操作者は、最小位置（第１位置）、最大位置（第２位置）、最小位置に対応するボリュームレベル［１］と最大位置に対応するボリュームレベル［５］の間の中間のボリュームレベル［３］に対応する操作範囲の中間位置Ｃを感覚で認識することができるため、操作部を、最小位置に対応するボリュームレベル［１］と中間のボリュームレベル［３］の間あるいは中間のボリュームレベル［３］と最大位置に対応するボリュームレベル［５］の間の所望のボリュームレベル（例えば、ボリュームレベル［２］あるいはボリュームレベル［４］）に対応する操作位置に容易に操作することができる。
【００２５】
ところで、操作部が最小位置（第１位置）と最大位置（第２位置）の間の報知位置に操作された時にボリューム３４の出力電圧の電圧値が設定値となるように設計されている場合でも、製造誤差や取付誤差等によって、操作部が報知位置に操作された時にボリューム３４の出力電圧の電圧値が設定値と異なることがある。例えば、操作部が報知位置に操作された時に、ボリューム３４の出力電圧の電圧値が、ボリュームレベル［３］に対応するボリュームレベル減少判定用基準値Ｒ２（デジタル値１０２）とボリュームレベル増加判定用基準値Ｒ３（デジタル値１５３）の中間値Ｃ（デジタル値１２７）となるように設計されているが（図４及び図５の実線参照）、製造誤差や取付誤差等によって、実際には、操作部が報知位置に操作された時に、ボリューム３４の出力電圧の電圧値が、設定値Ｃ（デジタル値（１２７）より小さい電圧値Ｃａ（デジタル値１２２）となることがある（図４及び図５の破線参照）。すなわち、本来、ボリュームレベル［３］に対応する基準値の中間の値Ｃ（デジタル値１２７）に対応する報知位置で報知動作が行われるべきものが、ボリュームレベル減少方向にずれ量（デジタル値５）に対応する回動量だけずれた位置で報知動作が行われることになる。
この場合、報知位置から、ボリュームレベルを増加させる時の操作部の操作量と、ボリュームレベルを減少させる時の操作部の操作量が通常時と異なるため、操作者は、操作部を所望の操作位置に操作するのが困難となる。例えば、報知機構が報知動作を行う位置（電圧値Ｃａに対応する位置）に操作部が操作されている状態から、ボリュームレベルを減少させる場合には、操作部を、少なくとも［電圧値Ｃａ（デジタル値１２２）−基準値Ｒ２（デジタル値１０２）＝デジタル値２０］に対応する操作量以上回動させる必要があり、一方、ボリュームレベルを増加させる場合には、操作部を、少なくとも［基準値Ｒ３（デジタル値１５３）−電圧値Ｃａ（デジタル値１２２）＝デジタル値３１］に対応する操作量以上回動させる必要がある。
【００２６】
ここで、ボリュームレベルをボリュームレベル［１］に設定する場合には、ボリューム３４の出力電圧の電圧値が最小位置に対応する電圧値Ｒ０（デジタル値０）〜基準値Ｒ１（デジタル値５１）の範囲内となるように操作部を操作すればよく、また、ボリュームレベル［５］に設定する場合には、基準値Ｒ４（デジタル値２０４）〜最大位置に対応する電圧値Ｒ５（デジタル値２５５）の範囲内となるように操作部を操作すればよい。
しかしながら、本実施の形態では、操作部を最小位置あるいは最大位置に操作した場合には、支持部１２１ａがストッパ１１３の端部に当接する。
このため、操作者は、ボリュームレベルをボリュームレベル［１］あるいはボリュームレベル［５］に設定する場合には、支持部１２１ａがストッパ１１３の端部に当接する最小位置あるいは最大位置に操作部を操作する方法を用いることが多い。
すなわち、ボリュームレベル［１］及びボリュームレベル［５］に対応するボリューム３４の出力電圧の電圧値の範囲が広くなったり、狭くなっても、ボリュームレベル［１］及び［５］に設定する際の操作部の操作には殆ど影響がない。
【００２７】
そこで、本実施の形態では、操作部が報知位置に操作された時（報知機構が報知動作を行う報知位置）におけるボリューム３４の出力電圧の電圧値が変化した（ずれた）場合でも、操作員が、操作部を容易に操作することができるようにするために基準値調整手段２１ｃが設けられている。
本実施の形態の基準値調整手段２１ｃは、報知機構が報知動作を行う報知位置におけるボリューム３４の出力電圧の電圧値と、予め設定されている報知位置における電圧値との差（ずれ量）に応じて基準値を調整するように構成されている。
例えば、報知機構が報知動作を行う報知位置におけるボリューム３４の出力電圧の電圧値がＣａ（デジタル値１２２）であったものとする。この場合、本来、ボリュームレベル［３］に対応する基準値の中間の値Ｃ（デジタル値１２７）に対応する報知位置で報知動作が行われるべきものが、ボリュームレベル減少方向にずれ量（デジタル値５）に対応する回動量だけずれた電圧値Ｃａ（デジタル値１２２）に対応する位置で報知動作が行われることになる。
【００２８】
基準値調整手段２１ｃは、報知機構が報知動作を行った時のボリューム３４の出力電圧の電圧値と本来の電圧値とのずれ量（差）及びずれ方向を判別し、判別したずれ量と、ずれ方向に基づいて、ボリュームレベルを判定するための基準値Ｒ１〜Ｒ４を調整する。
この場合、報知位置の電圧値Ｃａが本来の電圧値Ｃよりボリュームレベル減少方向に、ずれ量（デジタル値５）だけずれていることを判別する。そして、基準値Ｒ１（デジタル値５１）、基準値Ｒ２（デジタル値１０２）、基準値Ｒ３（デジタル値１５３）、基準値Ｒ４（デジタル値２０４）をボリュームレベル減少方向に、ずれ量（デジタル値５）だけずらせ、基準値Ｒ１ａ（デジタル値４６）、基準値Ｒ２ａ（デジタル値９７）、基準値Ｒ３ａ（デジタル値１４８）、基準値Ｒ４ａ（デジタル値１９９）に調整する。
これにより、電圧値Ｃａに対応する位置（すなわち、報知位置）からボリュームレベルを減少させる際及びボリュームレベルを増加させる際の操作部の操作量がほぼ同じとなるため、操作部を所望の操作位置に容易に操作することができる。
この場合、ボリュームレベル［１］に対応する操作範囲は０〜５１から０〜４６に減少し、また、ボリュームレベル［５］対応する操作範囲は２０４〜２５５から１９９〜２５５に増加するが、前述したように、ボリュームレベル［１］あるいはボリュームレベル［５］に設定する際の操作部の操作には殆ど影響がない。
報知機構が報知動作を行った時のボリューム３４の出力電圧の電圧値が、予め設定されている電圧値Ｃからボリュームレベルの増加方向にずれた場合には、各基準値は、増加側に調整される。
なお、ずれ量は、報知機構が報知動作を行った時のボリューム３４の出力電圧の電圧値と、予め設定されている電圧値Ｃとを比較することによって算出してもよいし、調整後の電圧値Ｃａと比較することによって算出してもよい。調整後の電圧値を用いる場合には、例えば、報知位置レジスタに、報知位置におけるボリューム３４の出力電圧の電圧値を現在値として格納し、ボリューム３４の出力電圧の電圧値と報知位置レジスタに格納されている電圧値と比較することによってずれ量を算出する方法を用いるのが好ましい。
【００２９】
また、基準値調整回路２１ｃによる基準値調整動作は、頻繁に行う必要がないため、基準値調整条件が成立した時（満足された時）に行うように構成するのが好ましい。
基準値調整条件としては、遊技機に電源が投入され、副制御回路２１に供給される電源電圧が副制御回路２１の作動電圧に達したという条件、遊技店の係員等が基準値調整用操作部（例えば、基準値調整ボタン）を操作したという条件等を用いることができる。
この場合には、基準値調整手段２１ｃは、基準値調整条件が成立したか否かを判断し、基準値調整条件が成立したことを判断すると、前述した基準値調整処理を実行する。
【００３０】
ここで、操作部が、報知機構が報知動作を実行する報知位置以外の位置に操作されている状態（例えば、操作部がボリュームレベル［２］に対応する操作位置に操作されている状態）で基準位置の調整を行うと、ボリュームレベル判定手段２１ｂが異常判定を行う可能性がある
このため、本実施の形態では、基準値調整手段２１ｃは、ボリューム３４の出力電圧の電圧値と、予め定められている報知位置における電圧値Ｃとの差（ずれ量）が、製造誤差や取付誤差等による差（ずれ量）に対応する設定範囲内であるか否かを判断し、差（ずれ量）が設定範囲内である場合にのみ基準値の調整を実行するように構成されている。
例えば、報知機構が報知動作を行った時のボリューム３４の出力電圧の電圧値Ｃａ（デジタル値１２２）と予め定められている電圧値Ｃ（デジタル値１２７）とのずれ量（１２２−１２７＝−５）が設定範囲内（下限値≦ずれ量≦上限値）であるか否かを判断する。
【００３１】
本実施の形態の基準値調整動作及びボリュームレベル判定動作を、図６に示すフローチャート図により説明する。
図６に示す処理は、適宜の時期に開始される。
ステップＳ１では、基準値調整条件が成立しているか否か（基準値調整条件が満足されているか否か）を判断する。基準値調整条件が成立している場合にはステップＳ２に進み、基準値調整条件が成立していない場合にはステップＳ５に進む。基準値調整条件としては、例えば、電源スイッチが投入され、副制御回路２１に供給される電源電圧が副制御回路２１の作動電圧に達したこと、あるいは、係員等が基準値調整操作部を操作したこと等の条件が用いられる。
ステップＳ２では、検出値を取得してステップＳ３に進む。すなわち、Ａ／Ｄ変換手段２１ａによりデジタル信号に変換された、ボリューム２４の出力電圧の電圧値を取り込む。
【００３２】
ステップＳ３では、ステップＳ２で取得した検出値が、設定範囲内であるか否か、すなわち、下限値以上且つ上限値以下であるか否かを判断する。検出値が設定範囲内である場合にはステップＳ４に進み、設定範囲内でない場合にはステップＳ６に進む。このステップＳ３は、操作部が、報知機構が報知動作を行う報知位置に操作されているか否かを判断する処理を実行する。下限値及び上限値は、製造誤差や取付誤差等に応じて設定される。
ステップＳ４では、基準値を調整してステップＳ６に進む。基準値を調整する方法としては、前述した方法を用いることができる。すなわち、ステップＳ２で取得した検出値（図４の電圧値Ｃａ）と、予め定められている報知位置における電圧値（図４の電圧値Ｃ）との差（ずれ量）を算出する。そして、基準値（図４の基準値Ｒ１〜Ｒ４）を、算出したずれ量だけ調整する。
ステップＳ５では、検出値を取得してステップＳ６に進む。
以上の、ステップＳ１〜Ｓ４の処理は、基準値調整手段２１ｃにより実行される。
【００３３】
ステップＳ６では、ステップＳ２あるいはステップＳ５で取得した検出値が、現在のボリュームレベルの増加用基準値以上であるか否かを判断する。例えば、現在のボリュームレベルが［２］である場合には、ボリュームレベル［２］に対応する増加用基準値（ボリュームレベル増加判定用基準値）Ｒ２（基準値が調整された場合には、調整後の増加用基準値Ｒ２ａ）以上であるか否かを判断する。検出値が現在のボリュームレベルの増加用基準値以上である場合にはステップＳ７に進み、増加用基準値以上でない場合にはステップＳ８に進む。
ステップＳ７では、現在のボリュームレベルに［１］を加算したボリュームレベルを現在のボリュームレベルとしてボリュームレベルレジスタに書き込んだ後（ボリュームレベルを増加させた後）リターンする。
ステップＳ８では、検出値が現在のボリュームレベルの減少用基準値未満であるか否かを判断する。例えば、現在のボリュームレベルが［２］である場合には、ボリュームレベル［２］に対応する減少用基準値（ボリュームレベル減少判定用基準値）Ｒ１（基準値が調整された場合には、調整後の減少用基準値Ｒ１ａ）未満であるか否かを判断する。検出値が現在のボリュームレベルの減少用基準値未満である場合にはステップＳ９に進み、減少用基準値未満でない場合にはリターンする。
ステップＳ９では、現在のボリュームレベルに［１］を減算したボリュームレベルを現在のボリュームレベルとしてボリュームレベルレジスタに書き込んだ後（ボリュームレベルを減少させた後）リターンする。
副制御回路２１は、ボリュームレベル判定手段２１ｂで判定した現在のボリュームレベル（音量設定信号）を、音源ＩＣ２５に出力する。この場合、ボリュームレベルが変更された時（ボリュームレベルレジスタに新しいボリュームレベルが書き込まれた時）に、副制御回路２１から音源ＩＣに現在のボリュームレベル（音量設定信号）を出力する方法を用いるのが好ましい。音源ＩＣ２５は、入力されたボリュームレベル（音量設定信号）を音量設定レジスタ２５ａに書き込む。
以上のステップＳ５〜Ｓ９の処理は、ボリュームレベル判定手段２１ｂにより実行される。
なお、図６に示す処理において、「以上であるか否か」を判断する際や、「未満であるか否か」を判断する際には、等しいか否かの判断を含めてもよいし、含めなくてもよい。
【００３４】
以上のように、本実施の形態では、音設定信号を出力する音設定信号出力手段として回動式可変抵抗器を用いているため、設置スペースが小さくてすみ、操作量の調整も容易である。
また、本実施の形態では、音設定信号出力手段の操作部（回動部）は最小位置（第１位置）と最大位置（第２位置）の間で回動可能に構成されているとともに、操作部が最小位置にある時には最低音量、最大位置にある時には最大音量に設定されるため、操作部を最小位置あるいは最大位置に回動させるのみで最低音量あるいは最大音量の設定を行うことができ、操作が簡単である。
また、音設定信号出力手段の操作部が最小位置と最大位置の間の報知位置に操作されたことを操作部のトルクの変化（節度感あるいはクリック感）により報知する報知手段を設けている。これにより、操作者は、音設定信号出力手段の操作部が最小位置、最大位置及び報知位置に操作されたことを感覚で感知（認識）することができるため、操作部を、最小位置に対応するボリュームレベルと報知位置に対応するボリュームレベルの間あるいは報知位置に対応するボリュームレベルと最大位置に対応するボリュームレベルの間のボリュームレベルに対応する操作位置に容易に操作することができる。特に、本実施の形態では、音設定信号出力手段の出力電圧の電圧値（音設定信号のレベル）が、最小位置に対応するボリュームレベルと最大位置に対応するボリュームレベルを含む複数のボリュームレベルの中の中間のボリュームレベルに対応する基準値の中間の値となるように報知位置が設定されているため、操作部の操作がより容易であるとともに、温度や振動等によって音設定信号出力手段から出力される音設定信号のレベルが変動しても、操作部が報知位置に操作された時のボリュームレベル判定結果が変化することがない。
また、音設定信号出力手段の出力電圧の電圧値に基づいて基準値を調整する基準値調整手段を有しているため、製造誤差や取付誤差等によって報知機構が報知動作を行った時における設定信号のレベルが変化しても、操作部を所望の操作位置に容易に操作することができる。
さらに、基準値調整手段は、基準値調整条件が成立し、音設定信号出力手段の出力電圧の電圧値が設定範囲内である場合に基準値の調整を行うため、基準値の誤調整を防止することができる。
【００３５】
第１の実施の形態では、各ボリュームレベルに対応する基準値を同じ値に設定している。例えば、任意のボリュームレベルの減少用基準値（ボリュームレベル減少判定用基準値）と、任意のボリュームレベルより１段階減少側のボリュームレベルの増加用基準値（ボリュームレベル増加判定用基準値）を同じ値に設定している。
ここで、ボリューム２４の出力電圧の電圧値に温度や振動等による変動成分が含まれると、ボリュームレベル判定手段２１ｂが誤判定する虞がある。特に、ボリューム２４の出力電圧の電圧値が基準値の近傍の値である時（操作部がボリュームレベルの境界付近の位置の近傍にある時）に温度や振動等による変動成分が含まれると、ボリューム２４の出力電圧の電圧値が不安定になり、ボリューム２４の出力電圧の電圧値と基準値との比較結果に基づいて判定されるボリュームレベル、すなわち、スピーカ３０から発生する音の音量が頻繁に切り替わり、音による演出効果が低下する。
以下に、温度や振動等による変動成分によって頻繁な音量の切り替わりを防止することができる第２の実施の形態を説明する。第２の実施の形態では、ボリュームレベルの判定に用いる基準値にヒステリシスを持たせている。
第２の実施の形態は、図１に示した第１の実施の形態と同様の構成を有している。第２の実施の形態は、第１の実施の形態と、ボリュームレベル判定手段２１ｂでのボリュームレベル判定動作が異なるだけである。
【００３６】
基準値にヒステリシスを持たせた場合の、ボリューム２４の操作部（回動部）の回動位置とボリュームレベルとの関係を図７及び図８に示す。
図７及び図８に示すボリューム２４は、第１の実施の形態と同様に、操作部は最小位置（デジタル値０に対応する位置）〜最大位置（デジタル値２５５に対応する位置）の範囲内で回動可能であり、操作部の操作位置に応じて電圧値が連続して変化する出力電圧を出力する。また、ボリュームレベルが増大する方向（図７では時計方向、図８では左から右の方向）に操作部を回動させるとボリュームレベルが［１］から［５］まで順次増大し、ボリュームレベルが減少する方向（図７では反時計方向、図８では右から左の方向）に回動させるとボリュームレベル［５］から［１］まで順次減少する。
本実施の形態では、ボリュームレベルを判定するための基準値として、ボリュームレベルが増大する方向に操作部が操作される時とボリュームレベルが減少する方向に操作部が操作される時で異なる基準値を用いている。
図７および図８では、検出値（ボリューム２４の出力電圧の電圧値）に基づいてボリュームレベル［１］〜［５］を判定するための基準値（基準レベル）として、実線で示す基準値を用いている。なお、図７及び図８に破線で示す基準値は、後述する基準値調整後の基準値である。
【００３７】
ボリュームレベルが増加する方向に操作部を回動させる時の基準値としては、以下の基準値を用いている。
ボリュームレベル［１］から［２］への切り替わりを判定する基準値（ボリュームレベル［１］に対応するボリュームレベル増加判定用基準値）として基準値Ｕ２（デジタル値５６）（電圧値１．１Ｖ）、ボリュームレベル［２］から［３］への切り替わりを判定する基準値（ボリュームレベル［２］に対応するボリュームレベル増加判定用基準値）として基準値Ｕ３（デジタル値１０７）（電圧値２．１Ｖ）、ボリュームレベル［３］から［４］への切り替わりを判定する基準値（ボリュームレベル［３］に対応するボリュームレベル増加判定用基準値）として基準値Ｕ４（デジタル値１５８）（電圧値３．１Ｖ）、ボリュームレベル［４］から［５］への切り替わりを判定する基準値（ボリュームレベル［４］に対応するボリュームレベル増加判定用基準値）として基準値Ｕ５（デジタル値２０９）（電圧値４．１Ｖ）を用いている。
【００３８】
一方、ボリュームレベルが減少する方向に操作部を回動させる時の基準値としては、以下の基準値を用いている。
ボリュームレベル［５］から［４］への切り替わりを判定する基準値（ボリュームレベル［５］に対応するボリュームレベル減少判定用基準値）として基準値Ｄ４（デジタル値１９９）（電圧値３．９Ｖ）、ボリュームレベル［４］から［３］への切り替わりを判定する基準値（ボリュームレベル［４］に対応するボリュームレベル減少判定用基準値）として基準値Ｄ３（デジタル値１４８）（電圧値２．９Ｖ）、ボリュームレベル［３］から［２］への切り替わりを判定する基準値（ボリュームレベル［３］に対応するボリュームレベル減少判定用基準値）として基準値Ｄ２（デジタル値１０２）（電圧値２Ｖ）、ボリュームレベル［２］から［１］への切り替わりを判定する基準値（ボリュームレベル［２］に対応するボリュームレベル減少判定用基準値）として基準値Ｄ１（デジタル値４６）（電圧値０．９Ｖ）を用いている。
以上のように、本実施の形態では、ボリュームレベルが増加する時の増加用基準値（ボリュームレベル増加判定用基準値）を、ボリュームレベルが減少する時の減少用基準値（ボリュームレベル減少判定用基準値）より大きく設定している。例えば、ボリュームレベル［２］の増加用基準値Ｕ３を、ボリュームレベル［２］より１段階上のボリュームレベル［３］の減少用基準値Ｄ２より大きく設定している。これにより、ボリューム２４の操作部の回動によってボリュームレベルが切り替わった後、温度や振動等による変動成分によってボリュームレベルが逆方向に切り替わり、音量が頻繁に変動するのを防止することができる。
【００３９】
本実施の形態では、第１の実施の形態と同様に、ボリューム３４の操作部（回動部）が、最小位置と最大位置の間の報知位置に操作されたことを操作部のトルクの変化（節度あるいはクリック）によって報知する報知機構が設けられている。
報知位置は、操作部（回動部１２１）が報知位置に操作された時におけるボリューム３４の出力電圧の電圧値が、最小位置に対応するボリュームレベル［１］と、最大位置に対応するボリュームレベル［５］を含む複数のボリュームレベル［１］〜［５］の中間のボリュームレベル［３］に対応する基準値の中間値となる位置に設定されている。
本実施の形態では、ボリュームレベルが増加する時と減少する時で異なる基準値を用いているため、報知位置は、ボリュームレベルが増加する時の、中間ボリュームレベル［３］より１段階減少側のボリュームレベル[２]に対応する増加用基準値（ボリュームレベル増加判定用基準値）Ｕ３（デジタル値１０７）と中間ボリュームレベル[３]に対応する増加用基準値（ボリュームレベル増加判定用基準値）Ｕ４（デジタル値１５８）の中間の値であって、ボリュームレベルが減少する時の、ボリュームレベル［３］より１段階増加側のボリュームレベル［４］に対応する減少用準値（ボリュームレベル減少判定用基準値）Ｄ３（デジタル値１４８）とボリュームレベル［３］に対応する減少用基準値（ボリュームレベル減少判定用基準値）Ｄ２（デジタル値９７）の中間の値に設定されている。すなわち、ボリュームレベル［３］の増加用基準値Ｕ４とボリュームレベル［３］の減少用基準値Ｄ２の中間の値Ｃ（デジタル値１２７）となる位置に設定されている。
この場合、電圧値Ｃに対応する位置から１段階増加側のボリュームレベル［４］を設定する場合の操作部の操作量（３１＝１５８−１２７）と、電圧値Ｃに対応する位置から１段階減少側のボリュームレベル［２］に設定する場合の操作部の操作量（３０＝１２７−９７）がほぼ等しいため、操作部を、最小位置に対応するボリュームレベル［１］と報知位置に対応するボリュームレベル［３］の間あるいは報知位置に対応するボリュームレベル［３］と最大位置に対応するボリュームレベル［５］の間のボリュームレベルに対応する操作位置に容易に操作することができる。
【００４０】
さらに、本実施の形態においても、基準値調整手段２１ｃにより、製造誤差や取付誤差等によって報知機構が報知動作を行った時におけるボリューム３４の出力電圧の電圧値と、予め設定されている報知位置に対応する電圧値との差（ずれ量）に応じて基準値を調整している。
例えば、報知機構が報知動作を行った位置におけるボリューム３４の出力電圧の電圧値がＣａ（デジタル値１２２）であったものする。
この場合、電圧値Ｃａ（デジタル値１２２）と、予め設定されている報知位置に対応する電圧値Ｃ（デジタル値１２７）から、報知機構の報知動作を行う位置が、ボリュームレベルの減少方向に（デジタル値５）に対応する回動量だけずれていることを判別する。したがって、各ボリュームレベルに対応する基準値Ｕ２〜Ｕ５及びＤ４〜Ｄ１を、ボリュームレベルの減少方向に、判別したずれ量だけ調整する。すなわち、基準値Ｕ２〜Ｕ５及びＤ４〜Ｄ１を、基準値Ｕ２ａ〜Ｕ５ａ及びＤ４ａ〜Ｄ１ａに調整する。
基準値調整回路２１ｃが、基準値調整条件が成立し、また、ボリューム３４の出力電圧の電圧値が設定範囲である場合に基準値の調整を実行するように構成されていることは第１の実施の形態と同様である。
【００４１】
本実施の形態の基準値調整動作及びボリュームレベルの判定動作を、図９に示すフローチャート図により説明する。
ステップＴ１では、基準値調整条件が成立しているか否か（基準値調整条件が満足されているか否か）を判断する。基準値調整条件が成立している場合にはステップＴ２に進み、基準値調整条件が成立していない場合にはステップＴ５に進む。基準値調整条件としては、第１の実施の形態と同様の条件を用いることができる。
ステップＴ２では、検出値を取得してステップＴ３に進む。
ステップＴ３では、ステップＴ２で取得した検出値が、設定範囲内であるか否か、すなわち、下限値以上且つ上限値以下であるか否かを判断する。検出値が設定範囲内である場合にはステップＴ４に進み、設定範囲内でない場合にはステップＴ６に進む。
ステップＴ４では、前述した方法を用いて基準値を調整し、ステップＳ６に進む。
ステップＴ５では、検出値を取得してステップＴ６に進む。
以上の、ステップＴ１〜Ｔ４の処理は、基準値調整手段２１ｃにより実行される。
【００４２】
ステップＴ６では、ステップＴ２あるいはステップＴ５で取得した検出値が現在値レジスタに書き込まれている現在値より大きいか否か、すなわち、ボリューム２４の操作部がボリュームレベルを増加する方向に回動されたか否かを判断する。検出値が現在値より大きい場合にはステップＴ７に進み、検出値が現在値以下の場合にはステップＴ９に進む。
ステップＴ７では、検出値が現在のボリュームレベルの増加用基準値以上であるか否かを判断する。例えば、現在のボリュームレベルが［２］である場合には、ボリュームレベル［２］に対応する増加用基準値（ボリュームレベル増加判定用基準値）Ｕ３（基準値が調整された場合には、調整後の増加用基準値Ｕ３ａ）以上であるか否かを判断する。検出値が現在のボリュームレベルの増加用基準値以上である場合にはステップＴ８に進み、増加用基準値以上でない場合にはステップＴ１２に進む
ステップＴ８では、現在のボリュームレベルに［１］を加算したボリュームレベルを現在のボリュームレベルとしてボリュームレベルレジスタに書き込んだ後（ボリュームレベルを増加させた後）、ステップＴ１２に進む。
ステップＴ９では、取得した検出値が現在値レジスタに書き込まれている現在値未満であるか否か、すなわち、ボリューム２４の操作部がボリュームレベルを減少する方向に回動されたか否かを判断する。検出値が現在値未満である場合にはステップＴ１０に進み、検出値が現在値未満でない場合にはリターンする。
ステップＴ１０では、検出値が現在のボリュームレベルの減少用基準値以下であるか否かを判断する。例えば、現在のボリュームレベルが［２］である場合には、ボリュームレベル［２］に対応する減少用基準値（ボリュームレベル減少判定用基準値）Ｄ１（基準値が調整された場合には、調整後の減少用基準値Ｄ１ａ）以下であるか否かを判断する。検出値が現在のボリュームレベルの減少用基準値以下である場合にはステップＴ１１に進み、減少用基準値以下でない場合にはステップＴ１２に進む。
ステップＴ１１では、現在のボリュームレベルに［１］を減算したボリュームレベルを現在のボリュームレベルとしてボリュームレベルレジスタに書き込んだ後（ボリュームレベルを減少させた後）、ステップＴ１２に進む。
ステップＴ１２では、ステップＴ２あるいはＴ５で取得した検出値を現在値として現在値レジスタに書き込んだ後、リターンする。
以上のステップＴ５〜Ｔ１２の処理は、ボリュームレベル判定手段２１ｂにより実行される。
なお、図９に示す処理において、「以上であるか否か」や「以下であるか否か」を判断する際には、等しいか否かの判断を含めてもよいし、含めなくてもよい。
【００４３】
以上のように構成された本実施の形態は、第１の実施の形態と同様の効果を有している。
また、本実施の形態では、音設定信号出力手段の操作部の操作位置に応じた電圧値と基準値（基準レベル）との比較結果に基づいてボリュームレベル（音量設定信号）を判定する際、ボリュームレベルを増加させる時の基準値と、ボリュームレベルを減少させる時の基準値として異なる値を用いている。特に、任意のボリュームレベルの増加用基準値（ボリュームレベル増加判定用基準値）を、任意のボリュームレベルより１段階増加側のボリュームレベルの減少用基準値（ボリュームレベル減少判定用基準値）より大きい値に設定している。これにより、温度や振動等による変動成分によってボリュームレベル、したがって、スピーカから発生する音の音量が頻繁に切り替わるのを防止することができ、音による演出効果を高めることができる。
【００４４】
本発明は、実施の形態で説明した構成に限定されず、種々の変更、追加、削除が可能である。
例えば、ボリュームレベル（音量設定信号）に対応するレベルを有する音駆動信号を出力する音源ＩＣを音駆動手段として用いたが、音駆動手段の構成はこれに限定されない。
また、第１及び第２の実施の形態では、基準値調整手段２１ｃを設けたが、基準値調整手段２１ｃは省略することもできる。
また、報知位置としては、第１位置と第２位置の間の任意の位置に設定することができる。例えば、ボリューム２４の出力電圧の電圧値が、最大音量レベルに対応するボリュームレベルより１段下のボリュームレベルに対応する基準値の間（好ましくは中間値）となる位置を設定することができる。
また、遊技機を遊技店に配置して音量レベルを設定した後は、音量を設定し直すことはあまりない。したがって、電源遮断時に音量設定信号を保持し、電源復帰後における音量レベルの再設定処理を不要とするように構成するのが好ましい。例えば、電源遮断検出器によって遊技機の電源が遮断されたことを検出すると、音源ＩＣ（音駆動回路）２５の音量レジスタ２５ａに書き込まれている音量設定信号あるいはボリュームレベルレジスタに書き込まれているボリュームレベル（音量設定信号）をバックアップ用の記憶手段に書き込み、電源が投入されて音源ＩＣ２５あるいは副制御回路２１（ボリュームレベル判定手段２１ｃ）の初期化処理時に、バックアップ用の記憶手段に書き込まれている音量設定信号を音量設定レジスタ２５ａあるいはボリュームレベルレジスタに書き込むように構成する。
また、設定信号出力手段として回動式可変抵抗器を用いたが、スライド式可変抵抗器等を用いることもできる。
また、ボリュームレベル（音設定信号）の段数や、可変抵抗器の操作部の操作可能範囲とボリュームレベルとの対応関係は適宜設定可能である。例えば、可変抵抗器の操作部の操作可能範囲を各ボリュームレベルに対して均一（等間隔）に割り当ててもよいし、不均一に割り当ててもよい。例えば、使用頻度が高いボリュームレベルの割り当て範囲を他のボリュームレベルの割り当て範囲より広く設定する。
また、操作部の操作に応じてレベルが変化する設定信号を出力する設定信号出力手段を用いたが、レベル以外の量が変化する設定信号を出力する設定信号出力手段を用いることもできる。この場合には、ボリュームレベルを判定するための基準値も、設定信号に対応するものが用いられる。
また、操作部が報知位置に操作されたことを操作部のトルクの変化（節度あるいはクリック）によって報知する報知手段を用いたが、報知手段としては種々の構成の報知手段を用いることができる。例えば、操作部が報知位置に操作されたことを検出する検出手段と、検出手段の検出信号により音あるいは光を発生する音発生手段あるいは光発生手段により構成される報知手段を用いることができる。
また、音発生手段から発生する音の音量を調整する場合について説明したが、本発明に記載の技術は、光量等の種々の量を調整するために用いることができる。
また、パチンコ機について説明したが、本発明は、パチンコ機以外の種々の遊技機として構成することができる。
【００４５】
本発明は、以下のように構成することもできる。
例えば、「（態様１）音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、第１位置と第２位置の間の任意の位置に操作可能な操作部を有し、前記操作部の操作位置に応じて連続して変化するレベルを有する音設定信号を出力する音設定信号出力手段と、前記音設定信号出力手段から出力される音設定信号のレベルと複数の基準値を比較し、比較結果に応じて、最小音量レベルと最大音量レベルを含む複数の音量レベルのいずれかを示す音量レベル設定信号を出力する音量レベル判定手段と、前記音設定信号出力手段の操作部が、前記第１位置と前記第２位置の間の報知位置に操作されたことを操作部のトルクの変化によって報知する報知手段を備え、前記音駆動手段は、前記音発生手段から最小音量の音を発生させるレベルと最大音量の音を発生させるレベルを含む複数のレベルの中の、前記音量レベル判定手段から出力される音量レベル設定信号に対応するレベルを有する音駆動信号を出力し、前記報知位置は、前記音設定信号出力手段の操作部が当該報知位置に操作された時に前記音設定信号出力手段から出力される音設定信号のレベルが、隣接する基準値の間の値となるように設定されている、ことを特徴とする遊技機。」として構成することができる。
態様１の遊技機は、音発生手段と、遊技状態に応じた音制御信号を出力する制御手段と、音制御信号に基づいて音駆動信号を出力する音駆動手段と、音設定信号を出力する音設定信号出力手段と、音量レベル判定手段と、報知手段を備えている。
音設定信号出力手段は、第１位置と第２位置の間の任意の位置に操作可能な操作部の操作位置に応じて連続して変化するレベルを有する音設定信号を出力し、音量レベル判定手段は、最小音量レベルと最大音量レベルを含む複数の音量レベルの中の、音設定信号出力手段から出力される音設定信号のレベルと基準値との比較結果に対応した音量レベルを示す音量設定信号を出力し、音駆動手段は、最小音量の音を発生させるレベルと最大音量を発生させるレベルを含む複数のレベルの中の、音量設定信号出力手段から出力される音量設定信号に対応するレベルの音駆動信号を出力する。
そして、報知手段は、音設定信号出力手段の操作部が、第１位置と第２位置の間であって、音設定信号出力手段から出力される音設定信号が、隣接する基準値の間の値となる位置に設定されている報知位置に操作されたことを報知する。
遊技状態（例えば、待機状態、抽選結果変動表示状態、当たり抽選結果表示状態、大当たり遊技状態）に応じた制御信号を出力する制御手段としては、例えば、遊技状態を示す入力信号に基づいて主制御手段から出力される主コマンド信号を入力する副制御回路（副制御手段）あるいは音制御回路（音制御手段）が用いられる。
音設定信号出力手段としては、操作部の操作位置に応じて連続して変化する量を有する音設定信号を出力するものであればよい。典型的には、操作部の操作位置に応じて抵抗値が連続的に変化する可変抵抗器を有し、可変抵抗器の抵抗値に応じて連続して変化する電圧値を有する電圧を出力する音設定信号出力手段が用いられる。
報知手段の報知態様としては、周囲が暗くても、操作部が第１位置と第２位置の間の報知位置に操作されたことを認識可能な報知態様、例えば、光、音、操作部のトルクの変化等によって報知する報知態様を用いるのが好ましい。操作部のトルクの変化によって報知する報知手段としては、操作部に節度（クリック）を付与する節度手段（クリック手段）を用いることができる。
「隣接する基準値の間の値」は、製造誤差や取付誤差等によって、同じ操作位置における音設定信号のレベルが変化しても、音設定信号のレベルと基準値との比較結果に基づいて判定される音駆動信号のレベルが変化しない範囲の値を意味する。
態様１の遊技機を用いれば、請求項１の遊技機と同様に、操作部の操作が容易である。
また、操作部を所望の操作位置に容易に、短時間で操作することができる。
また、基準値を変更するのみで、音量レベルの段数の設定、さらには、音量レベルに対応する操作部の操作範囲の設定を容易に行うことができる。
【００４６】
また、「（態様２）態様1の遊技機であって、前記報知位置は、前記音設定信号出力手段の操作部が当該報知位置に操作された時に前記音設定信号出力手段から出力される音設定信号のレベルが、前記隣接する基準値の間の中間値となるように設定されている、ことを特徴とする遊技機。」として構成することができる。
態様２の遊技機では、報知位置を、隣接する基準値の間の中間値となるように設定している。
態様２の遊技機を用いれば、温度や振動等による振動成分、あるいは、製造誤差等によって、報知位置に対応する音量レベルが変化するのを防止することができる。これにより、操作員は、報知位置に対応する音量レベルを正確に判別することができる。
【００４７】
また、「（態様３）態様１または２の遊技機であって、前記隣接する基準値は、前記複数の音量レベルの中の中間の音量レベルに対応する基準値である、ことを特徴とする遊技機。」として構成することができる。
態様３の遊技機では、隣接する基準値として、複数の音量レベルの中の中間の音量レベルに対応する基準値を用いている。
態様３の遊技機を用いれば、報知位置と複数の音量レベルの中の中間の音量レベルとの対応関係を判別することができるため、操作部を所望の操作位置に、より容易に、短時間で操作することができる。
【００４８】
また、「（態様４）態様１〜３のいずれかの遊技機であって、前記音設定信号出力手段は、前記操作部の操作位置に応じて最小抵抗値と最大抵抗値の間で抵抗値が連続して変化する可変抵抗器を有し、前記可変抵抗器の抵抗値に応じて連続して変化するレベルを有する音設定信号を出力する、ことを特徴とする遊技機。」として構成することができる。
態様４の遊技機では、音設定信号出力手段は、操作部の操作位置に応じて最小抵抗値と最大抵抗値の間で変化する可変抵抗器を有している。
可変抵抗の最小抵抗値や音設定信号の最小レベルは「０」であってもよい。この場合には、音量レベル判定手段は、音設定信号のレベルが「０」を含む所定の範囲の時に最小音量レベルを示す音量設定信号を出力するように構成する。
態様４の遊技機を用いれば、操作部の操作位置に対応してレベルが連続して変化する音設定信号を出力する音設定信号出力手段を簡単に構成することができる。
【００４９】
また、「（態様５）態様４の遊技機であって、前記可変抵抗器として回動式可変抵抗器を用いている、ことを特徴とする遊技機。」として構成することができる。
態様５の遊技機では、回動式可変抵抗器を用いている。
態様５の遊技機を用いれば、音設定信号出力手段の設置スペースが小さくてすみ、操作量の調整も容易である。
【００５０】
また、「（態様６）態様１〜５のいずれかの遊技機であって、前記音量レベル設定手段は、前記設定信号のレベルが増加する時と減少する時で異なる基準値を用いる、ことを特徴とする遊技機。」として構成することができる。
態様６の遊技機では、音設定信号のレベルが増加する時と減少する時で異なる基準値を用いている。
「音設定信号のレベルが増加する時と減少する時で異なる基準値を用いる」という記載は、隣接する２つの音量の一方から他方への切り替えを判定する際、音量が低い方から高い方への切り替えを判定する基準値と、音量が高い方から低い方への切り替えを判定する基準値として異なる基準値を用いることを意味する。なお、音量が低い方から高い方への切り替えを判定する基準値は、音量が高い方から低い方への切り替えを判定する基準値より大きい値に設定するのが好ましい。
態様６の遊技機を用いれば、音設定信号出力手段の操作部が操作されていないにも拘わらず、温度や振動等による変動成分によって音発生手段から発生する音の音量が切り替わるのを、特に、温度や振動等による変動成分によって音発生手段から発生する音の音量が頻繁に切り替わるのを防止することができ、音による演出効果を高めることができる。
【００５１】
また、「（態様７）態様１〜６のいずれかの遊技機であって、基準値調整手段を備え、前記基準値調整手段は、前記音設定信号出力手段から出力されている音設定信号のレベルに基づいて基準値を調整する、ことを特徴とする遊技機。」として構成することができる。
態様７の遊技機では、音設定信号出力手段から出力されている音設定信号のレベルに基づいて基準値を調整する基準値調整手段を備えている。
「音設定信号のレベルに基づいて基準値を調整する」方法としては、報知手段が報知を行った時の音設定信号のレベルと、予め定められている音設定信号のレベルとのずれ量を算出し、算出したずれ量に基づいて基準値を調整する方法を用いることができる。
態様７の遊技機を用いれば、製造誤差や取付誤差等によって、報知手段が報知を行った時の音設定信号のレベルが予め定められているレベルと異なっている場合でも、操作部を所望の操作位置に容易に、短時間で操作することができる。
【００５２】
また、「（態様８）態様７の遊技機であって、前記基準値調整手段は、基準値調整条件が満足されたか否かを判別し、基準値調整条件が満足されたことを判別した場合に基準値を調整する、ことを特徴とする遊技機。」として構成することができる。
態様８の遊技機では、基準値調整条件が成立した場合に基準値の調整を行う。
基準値調整条件としては、電源が投入され、電源電圧が基準値調整手段が作動可能な電圧に達したという条件や、基準値調整用操作部が操作されたという条件等を用いることができる。
態様８の遊技機を用いれば、基準値の調整が必要な場合に基準値の調整を行うため、処理負担が軽減される。
【００５３】
また、「（態様９）態様８の遊技機であって、前記基準値調整手段は、さらに、前記音設定信号出力手段から出力されている音設定信号のレベルが設定範囲内であるか否かを判別し、音設定信号のレベルが設定範囲内であることを判別した場合に基準値を調整する、ことを特徴とする遊技機。」として構成することができる。
態様９の遊技機では、音設定信号のレベルが設定範囲内である場合に基準値を調整する。
設定範囲は、製造後差や取付誤差等によるずれ量に基づいて設定される。
態様９の遊技機を用いれば、操作部が報知位置に操作されていない状態で基準値が誤調整されるのを防止することができる。
【符号の説明】
【００５４】
１０  主制御基板
１１  主制御回路
２０  副制御基板
２１  副制御回路
２１ａ  Ａ／Ｄ変換手段
２１ｂ  ボリュームレベル判定手段
２１ｃ  基準値調整手段
２４  回動式可変抵抗器（ボリューム）
２５  音源ＩＣ（音駆動回路）
２５ａ  音量設定レジスタ
２７  アンプ
２８  ランプ駆動回路
３０  スピーカ
４０  ランプ
５０  表示制御基板
１１１  固定部
１１２  抵抗体
１１２ａ  溝部
１２１  回動部（可動部）
１２１ａ  支持部
１２１ｂ  可動接点
１２２  スリット
【図１】
2010214157.tif 000003
【図２】
2010214157.tif 000004
【図３】
2010214157.tif 000005
【図４】
2010214157.tif 000006
【図５】
2010214157.tif 000007
【図６】
2010214157.tif 000008
【図７】
2010214157.tif 000009
【図８】
2010214157.tif 000010
【図９】
2010214157.tif 000011
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
音設定信号出力手段と、音量レベル判定手段と、報知手段と、基準値調整手段を備え、
前記音設定信号出力手段は、第１位置と第２位置の間の任意の位置に操作可能な操作部を有し、前記操作部の操作位置に応じて連続して変化するレベルを有する音設定信号を出力し、
前記音量レベル判定手段は、前記音設定信号出力手段から出力される音設定信号のレベルと基準値とを比較し、比較結果に応じた音量レベルを示す音量設定信号を出力し、
前記音駆動手段は、前記音量レベル判定手段から出力される音量設定信号の音量レベルに応じたレベルの音駆動信号を出力し、
前記報知手段は、前記音設定信号出力手段の操作部が前記第１位置と前記第２位置の間の報知位置に操作されたことを報知し、
前記基準値は、前記音量レベルごとに、前記音量レベルが増大する方向に前記音設定信号出力手段が操作されているときの方が、前記音量レベルが減少する方向に操作部が操作されているときよりも大きな値となるように設定され、
前記報知位置は、最小の音量レベル及び最大の音量レベルの中間の音量レベルについて設定された、音量レベルを増大させるときの前記基準値と、当該音量レベルを減少させるときの前記基準値との中間値となる位置に設定され、
前記基準値調整手段は、前記音設定信号出力手段の操作部が前記報知位置に操作された時における前記音設定信号出力手段から出力される音設定信号のレベルと設定値とのずれ量およびずれ方向を判別し、判別したずれ量およびずれ方向に基づいて前記基準値を調整する
ことを特徴とする遊技機。
【請求項２】
前記音設定信号出力手段は、前記操作部の操作位置に応じて抵抗値が連続的に変化する可変抵抗器を有する、
ことを特徴とする請求項１に記載の遊技機。
【請求項３】
前記可変抵抗器は、回動式可変抵抗器である
ことを特徴とする請求項２に記載の遊技機。
【手続補正２】
【補正対象書類名】明細書
【補正対象項目名】０００５
【補正方法】変更
【補正の内容】
【０００５】
第１発明は、請求項１に記載された構成を備える遊技機である。
第１発明は、音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
音設定信号出力手段と、音量レベル判定手段と、報知手段と、基準値調整手段を備え、
前記音設定信号出力手段は、第１位置と第２位置の間の任意の位置に操作可能な操作部を有し、前記操作部の操作位置に応じて連続して変化するレベルを有する音設定信号を出力し、
前記音量レベル判定手段は、前記音設定信号出力手段から出力される音設定信号のレベルと基準値とを比較し、比較結果に応じた音量レベルを示す音量設定信号を出力し、
前記音駆動手段は、前記音量レベル判定手段から出力される音量設定信号の音量レベルに応じたレベルの音駆動信号を出力し、
前記報知手段は、前記音設定信号出力手段の操作部が前記第１位置と前記第２位置の間の報知位置に操作されたことを報知し、
前記基準値は、前記音量レベルごとに、前記音量レベルが増大する方向に前記音設定信号出力手段が操作されているときの方が、前記音量レベルが減少する方向に操作部が操作されているときよりも大きな値となるように設定され、
前記報知位置は、最小の音量レベル及び最大の音量レベルの中間の音量レベルについて設定された、音量レベルを増大させるときの前記基準値と、当該音量レベルを減少させるときの前記基準値との中間値となる位置に設定され、
前記基準値調整手段は、前記音設定信号出力手段の操作部が前記報知位置に操作された時における前記音設定信号出力手段から出力される音設定信号のレベルと設定値とのずれ量およびずれ方向を判別し、判別したずれ量およびずれ方向に基づいて前記基準値を調整することを特徴とする。
遊技状態（例えば、待機状態、抽選結果変動表示状態、当たり抽選結果表示状態、大当たり遊技状態）に応じた音制御信号を出力する制御手段としては、例えば、遊技状態を示す入力信号に基づいて主制御手段から出力される主コマンド信号を入力する副制御回路（副制御手段）あるいは音制御回路（音制御手段）が用いられる。
音設定信号出力手段としては、操作部の操作位置に応じて連続して変化する量を有する設定信号を出力するものであればよい。典型的には、操作部の操作位置に応じて抵抗値が連続的に変化する可変抵抗器を有し、可変抵抗器の抵抗値に応じて連続して変化する電圧値を有する電圧を出力する音設定信号出力手段が用いられる。
音駆動手段としては、例えば、音制御信号に対応する音駆動信号が記憶されている記憶手段を有する音源ＩＣが用いられる。
報知手段の報知態様としては、周囲が暗くても、操作部が第１位置と第２位置の間の報知位置に操作されたことを認識可能な報知態様、例えば、光、音、操作部の回転トルクの変化等によって報知する報知態様を用いるのが好ましい。操作部の回転トルクの変化によって報知する報知手段としては、操作部に節度（クリック）を付与する節度手段（クリック手段）を用いることができる。
音量レベル判定手段の処理は、制御手段が行ってもよい。
【手続補正３】
【補正対象書類名】明細書
【補正対象項目名】０００６
【補正方法】変更
【補正の内容】
【０００６】
請求項１に記載の遊技機を用いれば、設定信号出力手段から出力される設定信号のレベルが、所望の音量レベルに対応する基準値の間の値となるように操作部を操作すればよいため、操作部の操作が容易である。
特に、請求項１に記載の遊技機では、第１位置と第２位置の間の任意の位置に操作可能な操作部が、第１位置と第２位置の間の報知位置に操作されたことが報知手段によって報知されるため、操作部の操作者は、第１位置、第２位置及び報知位置に操作されたことを認識することができる。これにより、操作者は、第１位置に対応する音量、第２位置に対応する音量、報知位置に対応する音量、さらには、第１位値に対応する音量と報知位置に対応する音量や報知位置に対応する音量と第２位置に対応する音量の間の音量に調整するための操作部の操作位置を容易に認識することができるため、操作部を所望の操作位置に容易に、短時間で操作することができる。
また、基準値を変更するのみで、音量レベルの段数の設定、さらには、音量レベルに対応する操作部の操作範囲の設定を容易に行うことができる。
加えて、請求項１に記載の遊技機では、基準値にヒステリシスをもたせているため、音設定信号出力手段の操作部の操作により音量レベルが切り替わった後、温度や振動等による変動成分によって音量レベルが逆方向に切り替わり、音量が頻繁に変動するのを防止することができる。
また報知位置を最小の音量レベル及び最大の音量レベルの中間の音量レベルについて設定された、音量レベルを増大させるときの前記基準値と、当該音量レベルを減少させるときの前記基準値との中間値となる位置に設定しているため、最小位置に対応する音量レベルと報知位置に対応する音量レベルとの間、あるいは、報知位置に対応する音量レベルと最大位置に対応する音量レベルとの間の音量レベルに対応する操作位置に容易に操作することができる。